(57)【要約】  温度変化部材を含む吸収性物品を示している。温度変化部材は、繊維のマトリックス及び繊維のマトリックス内に混入された温度変化材料を含む。【選択図】図１
2008525153.tif 000002
【特許請求の範囲】
【請求項１】
液体不透過性外カバーと、
前記外カバー上に置かれた吸収性本体と、
前記吸収性本体とともに配置された温度変化部材と、
を含み、
前記温度変化部材は、繊維のマトリックスと前記繊維のマトリックス内に混入された温度変化材料とから成る温度変化複合体を含み、
前記温度変化部材は、ここに記載された温度変化テストにより求められるものとして、少なくとも摂氏５度となる温度変化を物品に与えることを特徴とする吸収性物品。
【請求項２】
前記繊維のマトリックスは、接着性繊維を含むことを特徴とする請求項１に記載の吸収性物品。
【請求項３】
前記接着性繊維は、ホットメルト接着剤により形成されることを特徴とする請求項２に記載の吸収性物品。
【請求項４】
前記繊維のマトリックスは、吸収性繊維を含むことを特徴とする請求項１に記載の吸収性物品。
【請求項５】
前記温度変化複合体は、２０重量パーセントから４０重量パーセントの吸収性繊維と６０重量パーセントから８０重量パーセントの温度変化材料を含むことを特徴とする請求項４に記載の吸収性物品。
【請求項６】
前記繊維のマトリックスは、結合材材料を更に含むことを特徴とする請求項４に記載の吸収性物品。
【請求項７】
前記温度変化部材は、０．２５グラム／ｃｍ3から０．４５グラム／ｃｍ3の密度を定めることを特徴とする請求項４に記載の吸収性物品。
【請求項８】
前記繊維のマトリックスは、ポリマー繊維及び吸収性繊維から成るコフォーム複合体により形成されることを特徴とする請求項１に記載の吸収性物品。
【請求項９】
前記ポリマー繊維は、メルトブローンポリマー繊維であることを特徴とする請求項８に記載の吸収性物品。
【請求項１０】
前記ポリマー繊維は、延伸ポリマー繊維であることを特徴とする請求項９に記載の吸収性物品。
【請求項１１】
前記温度変化複合体は、５重量パーセントから１５重量パーセントのポリマー繊維、１０重量パーセントから５０重量パーセントの吸収性繊維、及び４０重量パーセントから８０重量パーセントの温度変化材料を含むことを特徴とする請求項８に記載の吸収性物品。
【請求項１２】
前記温度変化部材は、更に前記温度変化複合体と重なる関係の第一キャリア層を含むことを特徴とする請求項１に記載の吸収性物品。
【請求項１３】
前記キャリア層は、延伸可能であることを特徴とする請求項１２に記載の吸収性物品。
【請求項１４】
前記キャリア層は、液体不透過性であることを特徴とする請求項１２に記載の吸収性物品。
【請求項１５】
前記温度変化部材は、更に第二キャリア層を含み、前記第一キャリア層と前記第二キャリア層は、前記温度変化複合体を挟むことを特徴とする請求項１２に記載の吸収性物品。
【請求項１６】
前記第一及び第二キャリア層の１つは、液体不透過性であることを特徴とする請求項１５に記載の吸収性物品。
【請求項１７】
前記温度変化材料は、吸熱性材料であることを特徴とする請求項１に記載の吸収性物品。
【請求項１８】
前記温度変化材料は、発熱性材料であることを特徴とする請求項１に記載の吸収性物品。
【請求項１９】
前記温度変化材料は、酢酸ナトリウム（Ｈ2Ｏ）、炭酸ナトリウム（１０Ｈ2Ｏ）、硫酸ナトリウム（１０Ｈ2Ｏ）、チオ硫酸ナトリウム（５Ｈ2Ｏ）、燐酸ナトリウム（１０Ｈ2Ｏ）、硝酸アンモニウム、硝酸カリウム、塩化アンモニウム、塩化カリウム、硝酸ナトリウム、尿素、及びキシリトールから成るグループから選択された粒子の形状であることを特徴とする請求項１に記載の吸収性物品。
【請求項２０】
前記温度変化材料は、前記繊維のマトリックス内に均一に混入されることを特徴とする請求項１に記載の吸収性物品。
【請求項２１】
前記温度変化部材は、湿潤した時、ここに記載された温度変化テストにより求められるものとして、少なくとも摂氏１０度の表面温度変化を物品に与えることを特徴とする請求項１に記載の吸収性物品。
【請求項２２】
前記温度変化部材は、湿潤した時、ここに記載された温度変化テストにより求められるものとして、摂氏５から１５度の表面温度変化を前記物品に与えることを特徴とする請求項１に記載の吸収性物品。
【発明の詳細な説明】
【技術分野】
【０００１】
本発明は、温度変化部材を含む吸収性物品に関する。より特定的には、本発明は、排尿した時に、着用者がはっきりとした温度変化の感覚を得られるような、訓練用パンツなどの吸収性物品に関する。
【０００２】
使い棄てオムツ及び訓練用パンツなどの吸収性物品は、身体排出物を吸収して、収容することに有効である。これらの製品は、尿が急速に吸引され、着用者の肌から離れた位置に保持され、着用者は比較的乾燥した感覚を持ち、快適に維持されるものとして開発されてきた。この改善された性能は、着用者を乾燥状態にさせ、快適にさせるものではあるが、排尿した時に着用者が気付くか又は認識する可能性を減少させるものであり、特に、着用者の注意が行動に気を取られている場合にはそうである。トイレ訓練の初期における重要な段階は、排尿した時にそれを認識する能力であるので、このことはトイレ訓練に貢献するものではない。排尿した時、子供が認識しやすくするために、訓練用パンツは、排尿時に温度変化の感覚を与える温度変化部材を備えるように設計されてきた。
【０００３】
残念ながら、ある種の環境においては、このような温度変化部材は、完全に満足するものではない。例えば、特定の温度変化材料が温度変化部材内において利用される態様においては、製造、包装、又は使用中でさえ、温度変化材料の零れ落ちが起き、温度変化部材の効率が減少することがある。更に、温度変化部材の形態に応じて、高速製造工程で物品に組み込むことが困難な場合がある。
【０００４】
このように、製造、包装中に、及び使用中に温度変化部材内に温度変化材料を適当に保持することが可能な、温度変化部材を有する吸収性物品の必要性がある。更に、高速製造工程によって容易に処理することができ、物品内に組み込むことができる温度変化部材を有する吸収性物品の必要性がある。更に、使用中に、これらの利点だけでなく、着用者に温度変化の感覚を効率的に与えるような温度変化部材の必要性がある。
【０００５】
【特許文献１】米国特許第３，８４９，２４１号公報
【特許文献２】米国特許第５，２１３，８８１号公報
【特許文献３】ＰＣＴ特許出願ＷＯ００／３７００９
【特許文献４】米国特許第４，９４０，４６４号公報
【特許文献５】米国特許第５，７６６，３８９号公報
【特許文献６】米国特許第６，６４５，１９０号公報
【特許文献７】米国特許第５，６８１，２９８号公報
【特許文献８】米国特許第５，２２４，４０５号公報
【特許文献９】米国特許第５，１０４，１１６号公報
【特許文献１０】米国特許第５，０４６，２７２号公報
【特許文献１１】米国特許第４，６６３，２２０号公報
【特許文献１２】米国特許第５，２２６，９９２号公報
【特許文献１３】欧州特許出願番号ＥＰ０２１７０３２
【特許文献１４】ＰＣＴ出願ＷＯ０１／８８２４５
【特許文献１５】米国特許第４，７０４，１１６号公報
【特許文献１６】米国特許第５，８８３，０２８号公報
【特許文献１７】米国特許第５，１１６，６６２号公報
【特許文献１８】米国特許第５，１１４，７８１号公報
【特許文献１９】米国特許第６，５５２，２４５号公報
【特許文献２０】米国特許第５，９６４，７４３号公報
【特許文献２１】米国特許第５，６４５，５４２号公報
【特許文献２２】米国特許第６，２３１，５５７号公報
【特許文献２３】米国特許第６，３６２，３８９号公報
【特許文献２４】国際特許出願ＷＯ０３／０５１２５４
【特許文献２５】米国特許第５，４８６，１６６号公報
【特許文献２６】米国特許第５，４９０，８４６号公報
【特許文献２７】米国特許出願１０／６９９１９３
【特許文献２８】米国特許第４，６６６，６４７号公報
【特許文献２９】米国特許第４，７６１，２５８号公報
【特許文献３０】米国特許第４，１００，３２４号公報
【特許文献３１】米国特許第５，２８４，７０３号公報
【特許文献３２】米国特許第５，３５０，６２４号公報
【特許文献３３】米国特許第６，４６１，０８６号公報
【特許文献３４】米国特許出願一連番号１０／４６２，１６６
【特許文献３５】米国特許第５，３４８，７５０号公報
【特許文献３６】米国特許第５，２６６，５９２号公報
【特許文献３７】米国特許出願１０／９５５５３４
【発明の開示】
【発明が解決しようとする課題】
【０００６】
一態様においては、本発明は、液体不透過性外カバー、該外カバー上に位置する吸収性本体、及び、該吸収性本体とともに配置された温度変化部材を含む吸収性物品に向けられる。この温度変化部材は、繊維のマトリックス及び繊維のマトリックス内に混入された温度変化材料を含む温度変化複合体を含み、温度変化部材は、ここで述べられた温度変化テストにより求められるものとして、少なくとも摂氏５度の温度変化を物品に与える。
【０００７】
別の態様においては、本発明は、液体不透過性外カバー、該外カバー上に位置する吸収性本体、及び該吸収性本体とともに配置された温度変化部材を含む吸収性物品に向けられる。この温度変化部材は、吸収性繊維のマトリックス及び吸収性繊維のマトリックス内に混入された温度変化材料を含む温度変化複合体を含む。更に、温度変化部材は、ここで述べられた温度変化テストにより求められるものとして、湿潤時に、摂氏５度から１５度の表面温度変化を物品に与える。
【０００８】
更に別の態様においては、本発明は、液体不透過性外カバー、該外カバー上に位置する吸収性本体、及び該吸収性本体とともに配置された温度変化部材を含む吸収性物品に向けられる。この温度変化部材は、接着性繊維のマトリックス及び接着性繊維のマトリックス内に混入された温度変化材料を含む温度変化複合体を含む。更に、温度変化部材は、ここで述べられた温度変化テストにより求められるものとして、湿潤時に、摂氏５度から１５度の表面温度変化を物品に与える。
【０００９】
更に別の態様においては、本発明は、液体不透過性外カバー、該外カバー上に位置する吸収性本体、及び該吸収性本体とともに配置された温度変化部材を含む吸収性物品に向けられる。温度変化部材は、ポリマー繊維及び吸収性繊維を含む繊維のコフォームマトリックス及び繊維のコフォームマトリックス内に混入された温度変化材料を含む温度変化複合体を含む。更に、温度変化部材は、ここで述べられた温度変化テストにより求められるものとして、湿潤時に、摂氏５度から１５度の表面温度変化を物品に与える。
【００１０】
本発明の上記した態様及び他の態様は、一層明らかとなるであろうし、更に本発明自体は、以下の図面及び図面の説明を参照することにより更に理解されるであろう。
【００１１】
対応する参照番号は、図面を通して対応する部分を示す。
【発明を実施するための最良の形態】
【００１２】
（定義）
本明細書の内容においては、以下の各々の用語又は語句は次のような意味を含む。
【００１３】
「取り付ける」又はその派生語は、２つの要素を結合する、粘着する、接合する、接着する、縫い合わせる、又は同様のものを意味する。互いに一体であるか又は互いに直接取り付けられている時、又は各々が直接中間要素に取り付けられている時のように、互いに間接的に取り付けられている時に、２つの要素は、取り付けられているとみなされる。「取り付ける」及びその派生語は、永久的な、取り外し可能な、又は再締結可能な取り付けを含む。更に、取り付けは、製造工程の間に、又は最終使用者のいずれによっても完成させることができる。
【００１４】
「接着する」及びその派生語は、２つの要素を結合する、粘着する、接合する、取り付ける、縫い合わせる、又は同様のものを意味する。互いに直接接着されているか、又は各々が直接中間要素に接着されている時のように、互いに間接的に接着されている時に、２つの要素は、接着されているとみなされる。「接着する」及びその派生語は、永久的な、取り外し可能な、又は再締結可能な接着を含む。
【００１５】
「コフォーム」は、メルトブローン繊維とセルロース系繊維などの混合物を意味し、メルトブローンポリマー材料を空気形成する時に、同時にメルトブローン繊維流に空気浮遊繊維を吹き込むことにより形成することができる。コフォーム材料は、超吸収性材料などの他の材料を含むことができる。メルトブローン繊維及び吸収性繊維は、孔あきベルトにより形成されるもののような形成表面上に堆積される。形成表面は、形成表面上に置かれた気体透過性材料を含むことができる。
【００１６】
「接合する」又はその派生語は、２つの要素を結合する、粘着する、接着する、取り付ける、縫い合わせる、又は同様のものを意味する。互いが直接取り付けられている時、又は各々が直接中間要素に取り付けられている時のように、互いが間接的に取り付けられている時に、２つの要素は、接合しているとみなされる。「接合する」及びその派生語は、永久的な、取り外し可能な、又は再締結可能な接合を含む。更に、接合は、製造工程の間に、又は最終使用者のいずれによっても完成される。
【００１７】
「使い棄て」は、制限された使用の後、洗濯、又は再使用のために貯蔵されるのではなく、廃棄されることを意図した物品を意味する。
【００１８】
「に位置する」、「に沿って位置する」、「と位置する」又は「側に位置する」という用語及びこれらの変形は、１つの要素が他の要素と一体とすることができるか、又は１つの要素が別の要素に接着している、又は他の要素と配置される、又は他の要素に近接して配置される別個の構造とすることができるという意味である。
【００１９】
「弾性の」、「弾性化された」「弾性」及び「エラストマー性」は、変形を起こさせる力を取り除いた後、最初のサイズ及び形状を回復しようとする、材料又は複合体の特性を意味する。適当なものとしては、弾性材料又は複合体は、弛緩した状態の長さの少なくとも２５パーセントだけ伸ばされ（１２５パーセントにまで）、付与された力を取り除いた時に、その伸びの少なくとも４０パーセントが回復することができる。
【００２０】
「伸長可能な」は、破断することなく伸長又は変形することができるが、伸長又は変形を起こさせる力を取り除いた後、その最初の大きさ及び形状に実質的には回復しない材料又は複合体を意味する。適当なものとしては、伸長可能な材料又は複合体は、弛緩させた長さの少なくとも２５パーセントだけ伸ばす（１２５パーセントまで）ことができる。
【００２１】
「繊維」は、長さ対直径又は幅の比が高い、連続又は非連続の部材を意味する。このように、繊維は、フィラメント、糸、ストランド、ヤーン、又はあらゆる他の部材、或いはこれらの部材の組み合わせとすることができる。
【００２２】
「親水性」は、繊維と接触した状態で、水性液体により湿潤される繊維又は繊維の表面を示すものである。材料の湿潤の程度は、接触角度、及び含まれる液体及び材料の表面張力によって示される。特定の繊維材料又は繊維材料の混合物の湿潤性を測定するために適当な装置及び技術は、Ｃａｈｎ  ＳＦＡ−２２２表面張力分析システム、又は実質的に同等のシステムにより提供される。このシステムで計測した場合、９０度より小さい接触角度を有する繊維は、「湿潤性」すなわち親水性を示し、９０度より大きい接触角度を有する繊維は、「非湿潤性」すなわち疎水性を示す。
【００２３】
単数で使用される場合の「層」は、単一要素又は複数の要素の２つの意味を持つことができる。
【００２４】
層又は多層積層体を示す場合に使用される時の「液体不透過性」は、通常の使用条件の下で、尿などの液体が、液体接触した点で、層又は積層体の平面にほぼ垂直な方向に、層又は積層体を通過しないことを意味する。
【００２５】
「液体透過性」は、液体不透過性ではないあらゆる材料を意味する。
【００２６】
「メルトブローン」は、複数の微細な、通常は円形のダイ毛管を通して、溶融状態熱可塑性材料を集中する高速ガス（例えば空気）中に、通常は加熱して溶融状態の糸又はフィラメントとして押し出し、このガスが溶融状態熱可塑性材料を細くして、その直径を減少させることにより形成された繊維を意味する。その後、メルトブローン繊維は高速ガス流により運ばれて、集積表面に堆積され、ランダムに分散されたメルトブローン繊維のウエブを形成する。このような方法は、例えばＢｕｔｉｎ他の米国特許第３，８４９，２４１号に記載されている。メルトブロー法は、マクロ繊維（平均直径が約４０から約１００ミクロン）、布型繊維（平均直径が約１０から４０ミクロン）、及びミクロ繊維（平均直径が約１０ミクロンより小さい）を含む様々な直径の繊維を形成するために使用される。メルトブロー法は、特定的には、超微細ミクロ繊維（平均直径が約３ミクロン又はこれより小さい）を含むミクロ繊維を形成するのに適している。超微細ミクロ繊維を形成する例示的方法の説明が、例えば、Ｔｉｍｍｏｎｓ他の米国特許第５，２１３，８８１号に記載されている。メルトブローン繊維は、連続したもの又は非連続のものとすることができ、集積表面に付着される時に、一般的に自己接着することができる。
【００２７】
単数で使用される場合の「部材」は、単一要素又は複数の要素の２つの意味を持つことができる。
【００２８】
「不織」及び「不織ウエブ」は、布織り又は編み方法の介助なしに形成される材料及び材料のウエブを意味する。例えば、不織材料、布又はウエブは、例えば、メルトブロー法、スパンボンド法、空気堆積法、及びボンデッドカーデッドウエブ法などの多くの方法から形成されてきた。
【００２９】
「延伸可能な」は、破断することなく、少なくとも１つの方向に、少なくとも２５パーセントが（最初の（延伸していない）長さの１２５パーセントまで）延伸することができる材料を意味する。弾性材料及び伸長可能な材料は、各々延伸可能な材料である。
【００３０】
「超吸収性材料」は、最も好ましい条件の下で、約０．９重量パーセントの塩化ナトリウムを含む水性溶液において、その重量の少なくとも約１０倍を、より望ましくは少なくとも約３０倍を吸収することが可能な、水膨潤性、水非溶解性有機材料又は無機材料を意味する。
【００３１】
これらの用語は、本明細書の残りの部分において付加的言語で定義される場合がある。
【００３２】
図面、特に図１を参照すると、本発明の吸収性物品が、代表として子供用トイレ訓練用パンツの形態で示されており、その全体が参照番号２０で示されている。パンツ２０は、排尿した時に、着用者に顕著な温度変化の感覚を与えるように形成された温度変化部材７０を含み、これは、排尿が起こったことを着用者が認識する能力を増強するものである。パンツ２０は、使い棄てとすることもできるし、或いは使い棄てではないものとすることもでき、使い棄てとは、制限された期間の使用の後、洗濯又は再使用のために調整されることがなく、廃棄されることを意図する物品を意味する。本発明は、これらに制限されるものではないが、オムツ、女性用衛生製品、失禁用製品、医療用衣類、手術用パッド及び包帯、他の個人ケアー又は健康ケアー用衣類、及び本発明の範囲から外れない同様のものを含む個人用衣類のための様々な他の吸収性物品を使用するために適当であることを理解すべきである。
【００３３】
説明のためだけのものとして、本発明の様々な態様のパンツ２０などの訓練用パンツを形成するための様々な材料及び方法が、２０００年６月２９日付けのＡ．Ｆｌｅｔｃｈｅｒ他のＰＣＴ特許出願ＷＯ００／３７００９、１９９０年７月１０日付けのＶａｎ  Ｇｏｍｐｅｌ他の米国特許第４，９４０，４６４号、１９９８年６月１６日付けのＢｒａｎｄｏｎ他の米国特許第５，７６６，３８９号及び２００３年１１月１１日付けのＯｌｓｏｎ他の米国特許第６，６４５，１９０号に記載されており、これらは、一貫性のある範囲で（すなわち、矛盾することのない範囲で）引用によりここに組み入れられる。更に、温度変化部材を含む吸収性物品は、Ｂｒｕｎｎｅｒ他の米国特許第５，６８１，２９８号に記載されており、その開示は、一貫性のある範囲で（すなわち、矛盾することのない範囲で）引用によりここに組み入れられる。
【００３４】
一対の訓練用パンツ２０が、部分的に締結された状態で，図１に示されている。パンツ２０は、図２及び図３に示されているように、縦方向４６及び縦方向に垂直な横方向４８を定める。パンツ２０は、１対の縦方向端部領域、別の言い方で前腰部領域２２及び後腰部領域２４、及び中央領域、別の言い方をすれば前腰部領域２２と後腰部領域２４の間に縦方向に延び、かつこれらに相互結合されている股部領域２６を定める。前及び後腰部領域２２、２４は、着用された時、着用者の腰部又は中央より低い胴を全体的に又は部分的に覆うか或いは囲むパンツ２０の部分を含む。股部領域２６は一般的には、着用された時、着用者の脚部の間に位置決めされ、着用者の下胴部及び股部を覆うパンツ２０の部分である。パンツ２０は、使用される時に、着用者側に位置する内側表面２８、及び内側表面と反対側の外側表面３０を定める。更に図２及び図３を参照すると、一対の訓練用パンツ２０は、一対の横方向両側の側部縁３６及び一対の縦方向両側の腰部縁３８（広義では、縦方向端部）を有する。
【００３５】
示されたパンツ２０は、全体を３２で示されている吸収性組立体を含むことができる。例えば、図１−３の態様においては、訓練用パンツ２０は、ほぼ長方形の中央吸収性組立体３２及び該中央吸収性組立体とは別個に形成され、かつ中央吸収性組立体に固定されている側部パネル３４、１３４を含む。側部パネル３４、１３４は、パンツ２０のそれぞれの前及び後腰部領域２２及び２４において、シーム６６に沿って吸収性組立体３２に接着される。より特定的には、前側部パネル３４は、前腰部領域２２で、吸収性組立体３２に永久的に接着され、かつ吸収性組立体３２から外向きに横方向に延びることができ、後側部パネル１３４は、後腰部領域２４で、吸収性組立体３２に永久的に接着され、かつ吸収性組立体３２から横方向に延びることができる。側部パネル３４及び１３４は、接着剤、熱接着又は超音波接着などの当業者に知られている取り付け手段を使用して、吸収性組立体３２に接着される。
【００３６】
パンツ２０を着用する時に、前及び後側部パネル３４及び１３４は、着用者の臀部上に位置決めされる訓練用パンツ２０の部分を含む。前及び後側部パネル３４及び１３４は、永久的に互いに接着され、パンツ２０の三次元形態を形成することができるか、或いは示された態様の締結システム６０などによって、互いに取り外し可能な状態で接合される。
【００３７】
適当な弾性材料、並びに弾性側部パネルを訓練用パンツに組み込む１つの方法が、次の１９９０年７月１０日付けのＶａｎ  Ｇｏｍｐｅｌ他の米国特許第４，９４０，４６４号、１９９３年７月６日付けのＰｏｈｊｏｌａの米国特許第５，２２４，４０５号、１９９２年４月１４日付けのＰｏｈｊｏｌａの米国特許第５，１０４，１１６号、１９９１年９月１０日付けのＶｏｔｇ他の米国特許第５，０４６，２７２号に記載されており、その全体は一貫性のある範囲で（すなわち、矛盾することのない範囲で）引用によりここに組み入れられる。特定の態様においては、弾性材料は、延伸熱積層体（ＳＴＬ）、ネック付与状態で接着した積層体（ＮＢＬ）、可逆的にネック付与した積層体、又は延伸接着した積層体（ＳＢＬ）材料を含むことができる。このような材料を形成する方法は、当業者によく知られており、１９８７年５月５日付けのＷｉｓｎｅｓｋｉ他の米国特許第４，６６３，２２０号、１９９３年７月１３日付けのＭｏｒｍａｎの米国特許第５，２２６，９９２号、１９８７年４月８日付けのＴａｙｌｏｒ他の欧州特許出願番号ＥＰ０２１７０３２、及びＷｅｌｃｈ他の米国特許出願ＷＯ０１／８８２４５に記載されており、これら特許のすべてはその全体を一貫性のある範囲で（すなわち、矛盾することのない範囲で）引用によりここに、組み入れられる。当業者に知られているように、側部パネル３４、１３４は、弾性材料か、又は延伸可能であるが非弾性である材料を含むことができる。
【００３８】
長方形形状を有する吸収性組立体３２が、図１−３に示されている。しかしながら、吸収性組立体３２は、本発明の範囲から外れることなく、他の形状（例えば、砂時計型、Ｔ型、Ｉ型、及び同様のもの）を有するものとすることができると考えられる。側部パネル３４、１３４は、代替的には、本発明の範囲から外れることなく、吸収性組立体３２と一体に形成することができると理解される。このような形態においては、側部パネル３４及び１３４及び吸収性組立体は、身体側ライナー４２、外カバー４０、他の材料及び／又はこれらの組み合わせなどの、少なくとも幾つかの共通の材料を含むものである。
【００３９】
吸収性組立体３２は、外カバー４０及び該外カバーと重なる関係の身体側ライナー４２（図３）を含む。ライナー４２は、パンツ２０の縦方向端部の少なくとも一部に沿って、外カバー４０に適当に結合される。ライナー４２は、適当に調節、すなわちパンツ２０の他の部品に対して位置決めされて、パンツの着用中に着用者の肌に接触するようにすることができる。吸収性組立体３２は、液体身体排出物を吸収するために、外カバー４０と身体側ライナー４２の間に位置する吸収性本体４４（図３）を含む。ライナー４２は、パンツ２０の縦方向端部の少なくとも一部に沿って、外カバー４０と適当に結合することができる。身体側ライナー４２及び外カバー４０は、例えば、接着剤、超音波接着、熱接着又は当業者に知られている他の適当な取り付け技術によって、互いが取り付けられる。更に、吸収性本体４４の少なくとも一部は、上記した方法を利用して、任意に身体側ライナー４２及び／又は外カバー４０に取り付けられる。
【００４０】
上記したように、前及び後側部パネル３４及び１３４は、示した態様の締結システム６０などによって、互いに取り外し可能な状態で接合される。部分的に図１に示されたような締結位置における訓練用パンツ２０では、前及び後腰部領域は、互いに接合されて、腰部開口５０及び一対の脚部開口５２を有する三次元パンツ形態を定める。訓練用パンツ２０の腰部縁３８（例えば、縦方向端部）は、着用者の腰部を囲むように形成されて、パンツの腰部開口５０（図１）を定める。
【００４１】
締結システムは、接着剤締結用具、粘着剤締結用具、機械締結用具、又は同様のものなどの、吸収性物品に適したあらゆる再締結可能な締結用具を含むことができる。本発明の一態様においては、締結システムは、改善された性能のために、機械締結要素を含む。適当な機械締結要素は、フック、ループ、バルブ、マッシュルーム型、矢じり型、ステム上の球、雄と雌の嵌合部品、バックル、スナップ、又は同様のものなどの相互係合させる幾何学的形状の材料により形成される。例えば、締結システムは、前に組み込まれた２０００年６月２９日付けのＡ．Ｆｌｅｔｃｈｅｒ他のＰＣＴ特許出願ＷＯ００／３７００９及び前に組み込まれた２００３年１１月１１日付けのＯｌｓｏｎ他の米国特許第６，６４５，１９０号に記載されている。
【００４２】
パンツ２０は、身体排出物の横方向流出を妨げるために、１対の収容フラップ５６を含むことができる。図３に示されるように、収容フラップ５６は、当業者によく知られているようなあらゆる適当な方法で、パンツ２０に作動的に取り付けられる。特に、収容フラップ５６のための適当な構成及び配列は、概略的に当業者によく知られており、１９８７年１１月３日付けのＥｎｌｏｅの米国特許題４，７０４，１１６号に記載されており、一貫性がある範囲内で（すなわち、矛盾することなく）引用によりここに組み入れられる。
【００４３】
身体排出物の収容及び／又は吸収を促進するために、訓練用パンツ２０は、パンツ２０の前及び／又は後腰部領域２２及び２４に、腰部弾性部材５４を含むことができる。同様に、パンツ２０は、当業者に知られているような、脚部弾性部材５８を含むことができる。腰部弾性部材５４及び脚部弾性部材５８は、当業者によく知られているあらゆる適当な弾性材料で形成される。例えば、適当な弾性材料は、天然ゴムのシート、ストランド又はリボン、合成ゴム、或いは熱可塑性エラストマー性ポリマーを含む。本発明の一態様においては、腰部弾性材及び／又は脚部弾性材は、米国デラウエア州ウイルミントンのＩｎｖｉｓｔａより入手可能なＬＹＣＲＡという商標名で販売されている複数のドライスピニング法により撚り合わされたマルチフィラメントスパンデックスエラストマー性糸を含むことができる。
【００４４】
外カバー４０は、適当なものとしては、実質的に液体不透過性である材料を含むことができる。外カバー４０は、液体不透過性材料の単一層により形成されるか、又はより適当なものとしては、少なくとも層の１つが液体不透過性である多層積層体構造を含む。特定の態様においては、外側層は、適当なものとしては、着用者に比較的布のような手触りを与えることができる。液体不透過性内側層、又は単一層の液体不透過性外カバー４０として使用するために適当な液体不透過性フィルムは、ニュージャージ−州サウスプレインフィールドのＥｄｉｓｏｎ  Ｐｌａｓｔｉｃｓ  Ｃｏｍｐａｎｙより商業的に入手可能な、０．０２５ミリメートル（１．０ミル）ポリエチレンフィルムである。代替的には、外カバー４０は、織成又は不織繊維性ウエブ層を含むことができ、吸収性本体に近接する又は近位の選択された領域に、望ましいレベルの液体不透過性を与えるために、全体的に又は部分的に形成又は処理されてきた。
【００４５】
外カバー４０は、延伸可能なものとすることができ、更に幾つかの態様においては、エラストマー性とすることができる。例えば、このような外カバー材料は、０．３ｏｓｙのポリプロピレンスパンボンドを含むことができ、これは横方向４０に６０パーセントがネック付与され、縦方向４８に６０パーセントがクレープ加工され、３グラム／平方メートル（ｇｓｍ）のＢｏｓｔｉｋ−Ｆｉｎｄｌｅｙ  Ｈ２５２５Ａスチレン−イソプレン−スチレンベースの接着剤で、２０パーセント濃度の二酸化チタンを有する８ｇｓｍのＰＥＢＡＸ２５３３フィルムに積層される。Ｍｏｒｍａｎ他の米国特許第５，８８３，０２８号、Ｍｏｒｍａｎの米国特許第５，１１６，６６２号及びＭｏｒｍａｎの米国特許第５，１１４，７８１号が、適当な外カバー材料に関する付加的情報を与えるものとして参照され、引用によりここに組み入れられる。
【００４６】
身体側ライナー４２は、適当なものとしては、着用者の肌にとって、しなやかで、柔軟な感触を持ち、かつ刺激のないもとする。身体側ライナー４２は、その厚さを通して、吸収性本体４４に液体身体排出物を容易に通過させることが可能な程度に十分に液体透過性とする。適当な液体透過性身体側ライナー４２としては、約２７ｇｓｍの基本重量を有する不織ポリエチレン／ポリプロピレン二成分ウエブがあり、このウエブは、スパンボンドウエブ又はボンデッドカーデッドウエブとすることができる。任意ではあるが、身体側ライナー４２は、ライナー材料の湿潤性を増加させるために表面活性剤で処理される。
【００４７】
代替的には、身体側ライナー４２は、延伸可能性とすることができ、更に幾つかの態様においては、エラストマー性とすることができる。例えば、ライナー４２は、およそ６０パーセントがネック付与されて、約１２ｇｓｍの基本重量を有するウエブに形成された、約２から３デニールの繊維で形成された不織のスパンボンドポリプロピレン布とすることができる。１インチ（２．５４ｃｍ）当たりに８個のストランドが置かれた約９ｇｓｍのＫＲＡＴＯＮ  Ｇ２７６０エラストマー性材料のストランドは、ネック付与したスパンボンド材料に接着して、スパンボンド布に弾性を与えることができる。布は、米国デラウエア州ウイルミントンに所在するＩＣＩ  Ａｍｅｒｉｃａｓより入手可能な、約０．６パーセントのＡＨＣＯＶＥＬ  Ｂａｓｅ  Ｎ６２表面活性剤などの、作動的量の表面活性剤で表面処理される。他の適当な材料は、ネック状態で延伸された／クレープ加工されたスパンボンドなどの延伸可能な二軸方向に伸長可能な材料とすることができる。２００３年４月２２日付けのＲｏｅｓｓｌｅｒ他の米国特許第６，５５２，２４５号が参照され、一貫性がある範囲で（すなわち、矛盾することのない範囲で）引用によりここに組み入れられる。
【００４８】
吸収性本体４４は、例えば、外カバー４０と身体側ライナー４２の間の外カバー４０上に位置させることができる。外カバー４０及び身体側ライナー４２は、接着剤、超音波接着、熱接着、又は同様のものなどのあらゆる適当な手段によって、互いに結合される。吸収性本体４４は、長方形、砂時計型、Ｉ型、及び同様のものなどの、当業者に知られている種々異なる型及び形態とすることができる。更に吸収性本体４４の少なくとも一部は、上記した方法を利用して、身体側ライナー４２及び／又は外カバー４０に、任意に取り付けることができる。
【００４９】
吸収性本体４４は、適当なものとしては、圧縮可能で、順応可能で、更に着用者によって放出された液体身体排出物を吸収し、かつ保持することが可能なものである。例えば、吸収性組立体は、吸収性繊維のマトリックス、更により適当なものとしては、木質パルプフラフなどのセルロース系フラフ、及び超吸収性粒状物を含むことができる。１つの適当なパルプフラフは、米国アラバマ州チルダーズバーグのＵ．Ｓ．Ａｌｌｉａｎｃｅより商業的に入手可能な商標名ＣＲ１６５４で特定される。木質パルプフラフに代わるものとして、合成繊維、ポリマー性繊維、メルトブローン繊維、ショートカットホモフィル二成分合成繊維、又は他の天然繊維を使用することができる。適当な超吸収性材料は、天然、合成、及び変成天然ポリマー及び材料から選択される。超吸収性材料は、シリカゲルなどの無機材料、又は架橋結合ポリマー、例えば中和されたポリアクリル酸ナトリウムなどの有機化合物とすることができる。適当な超吸収性材料は、米国ミシガン州ミッドランドのＤｏｗ  Ｃｈｅｍｉｃａｌ  Ｃｏｍｐａｎｙ、及び米国ノースカロライナ州グリーンズボロのＳｔｏｃｋｈａｕｓｅｎ  Ｉｎｃ．などの様々な商業的供給元から入手可能である。
【００５０】
吸収性本体４４は、約０．１から約０．５グラム／立方センチメートルの範囲内の密度を有するものとすることができ、更に吸収性組立体の一体性及び／又は形状を維持するために、適当なティッシュ又は不織ラップによりラップされるか又は囲むことができる。
【００５１】
一態様においては、吸収性本体が接着されることになる外カバー４０及び／又は身体側ライナー４２などの他の部品の延伸可能性を妨げないように、吸収性本体４４は延伸可能とすることができる。例えば、吸収性本体は、引用によりここに組み入れられる米国特許第５，９６４，７４３号、第５，６４５，５４２号、第６，２３１，５５７号、第６，３６２，３８９号、及び国際特許出願ＷＯ０３／０５１２５４に記載されている材料を含むことができる。
【００５２】
幾つかの態様においては、サージ処理層（図示されず）を、パンツ２０に含ませることができる。サージ処理層は、当業者に知られている種々異なる位置で、パンツ２０内に位置決めされる。例えば、サージ処理層は、例えば、吸収性本体４４と身体側ライナー２２の間の、吸収性本体４４に近い位置とすることができ、更に接着剤、超音波接着、又は熱接着などの当業者に知られている方法によって、パンツ２０の１つ又はそれ以上の部品に取り付けられる。更にサージ処理層は、種々異なる方法で温度変化部材７０に対して、パンツ２０に位置決めされる。例えば、サージ処理層は、温度変化部材７０に対してライナー２２側に位置されるか、或いはサージ処理層は、温度変化部材７０に対して吸収性本体４４側に位置される。
【００５３】
サージ処理層は、吸収性本体４４に急速にもたらされる液体のサージ又は放出を減速かつ放散させるものである。サージ処理層は、吸収性本体４４の貯蔵又は保持部分に液体を放出する前に、液体を迅速に受け取り、一時的に保持できることが望ましい。適当なサージ処理層の例が、米国特許第５，４８６，１６６号及び米国特許第５，４９０，８４６号に記載されており、これらの特許の内容は、一貫性のある範囲で（すなわち、矛盾することのない範囲で）引用によりここに組み入れられる。
【００５４】
上記したように、本発明の吸収性物品の様々な態様においては、パンツ２０は、温度変化部材７０（図３）を含むことができる。温度変化部材７０は、温度変化複合体７２及び任意ではあるが、温度変化複合体７２と重なる関係の第一キャリア層７４を含むことができる（図４及び５）。温度変化部材７０は、任意ではあるが、第二キャリア層７６を含むことができ、第一キャリア層７４及び第二キャリア層７６は、温度変化複合体７２を挟む（図５）。
【００５５】
図４及び５に示されたように、温度変化複合体７２は、繊維のマトリックス７８及び繊維のマトリックス７８内に混入される温度変化材料８０を含むことができる。繊維のマトリックス７８は、実質的には、連続したもの或いは別個で非連続のものとすることができる。更に、温度変化複合体７２の繊維のマトリックス７８は、当業者に知られているような種々異なる繊維によって形成される。例えば、繊維のマトリックス７８は、接着性繊維、吸収性繊維、結合材（結合繊維を含む）、ポリマー繊維、及び同様のもの、又はこれらの組み合わせを含むことができる。このように、温度変化材料８０は、パンツ２０の製造中及び／又は着用中に、材料の零れ落ち又は損失を制限するように、マトリックス７８内に適当に捕捉される。
【００５６】
特に、繊維のマトリックス７８が接着性繊維を含む態様においては、繊維は、ホットメルト接着剤により形成することができる。このような接着剤は、一般的には、粘着強度、樹脂又は自生的材料、おそらくはワックス、可塑剤又は粘性を変成する他の材料、及び／又はこれらに制限されるものではないが、抗酸化剤又は他の安定剤を含む他の添加剤を形成するような１又はそれ以上のポリマーを含む。
【００５７】
例として、適当なホットメルト接着剤は、約１５から約５０重量パーセントの粘着強度ポリマー、約３０から約６５重量パーセントの樹脂又は他の粘着材、ゼロから約３０重量パーセントの可塑剤又は他の粘性変成材、及び任意なものではあるが、約１重量パーセントより小さい安定剤又は他の添加剤を含むものとすることができる。これらの成分の異なる重量パーセントを含む他のホットメルト接着剤組成も可能であることを理解すべきである。
【００５８】
繊維のマトリックス７８を形成するために使用される適当な接着剤の例は、ミネソタ州セイントポールのＨ．Ｂ．Ｆｕｌｌｅｒ  Ａｄｈｅｓｉｖｅｓから入手可能なＨＬ８１５１−ＸＺＰホットメルト接着剤である。特に、この接着剤は親水性接着剤であり、温度変化部材７０の迅速な湿潤性を促進するものであり、温度変化を加速する結果となる。代替的には、接着剤は、本発明の範囲から外れることなく、疎水性接着剤とすることができることも考えられる。
【００５９】
適当な接着剤化合物の更なる例は、３４−５６１０及び３４−４４７Ａという商標の、ニュージャージー州ブリッジウオーターのＮａｔｉｏｎａｌ  Ｓｔａｒｃｈ  ａｎｄ  Ｃｈｅｍｉｃａｌ  Ｃｏ．で形成されたもの、及びＨＸ４２０７−０１、ＨＸ２７７３−０１、Ｈ２５２５Ａ及びＨ２８００という商標名の、ウイスコンシン州ミルウオーキーのＢｏｓｔｉｋ−Ｆｉｎｄｌｅｙより入手可能なものである。更に、適当な接着剤は、２００３年１０月３１日付けのＳａｗｙｅｒ他の米国特許出願１０／６９９１９３に記載されており、この特許は一貫性のある範囲で（すなわち、矛盾することなく）引用によりここに組み入れられる。代替的接着剤は、本発明の範囲から外れることなく使用することができると考えられる。
【００６０】
繊維のマトリックス７８は、当業者に知られているような種々異なる接着剤付与法における接着性繊維により形成される。例えば、接着剤はスクリーンなどの孔あき表面上に、又は孔あき表面上に位置する第一キャリア層７４などの基体上にメルトブローされる。特に、適当な接着剤付与システムは、別個の繊維又はフィラメントの形状で接着剤に付与するように使用することができる。例えば、形成された繊維のマトリックス７８は、約５ミクロンから約２００ミクロンの範囲の、より適当なものとしては約７ミクロンから約５０ミクロンの範囲の接着性繊維直径を有することができる。適当な接着剤付与システムは、当業者に知られており、米国ジョージア州ダルースのＮｏｒｄｓｏｎ  Ｃｏｒｐｏｒａｔｉｏｎ、又は米国テネシー州ヘンダーソンビルのＩＴＷ  Ｄｙｎａｔｅｃ  Ｃｏ．より入手可能である。
【００６１】
一態様においては、接着性繊維は、繊維のマトリックス７８を形成するために、約１から約１５０グラム／平方メートル（ｇｓｍ）の範囲、より適当なものとしては約５０から約１００ｇｓｍの範囲の基本重量を有することができる。同様に、温度変化材料８０は、繊維のマトリックス７８を形成するために、約５００から約２０００グラム／平方メートル（ｇｓｍ）の範囲の、より特定的には約１０００から約１５００ｇｓｍの範囲の基本重量を有するものとすることができる。別の態様においては、温度変化複合体７２を形成するのに使用される接着剤の量は、適当なものとしては温度変化複合体７２を形成するのに使用される温度変化材料の量の約２０重量パーセントより小さいか又はこれと等しい、より適当なものとしては、温度変化複合体７２を形成するのに使用される温度変化材料の量の約１０パーセントより小さいか又はこれと等しい、更に適当なものとしては、約５から約１０重量パーセントの範囲とすることができる。特定の態様においては、温度変化複合体は、９５ｇｓｍの接着剤及び１４００ｇｓｍの温度変化材料８０とすることができる。
【００６２】
温度変化材料８０は、接着剤流内に供給され、これに随伴されることにより繊維のマトリックス７８に付与される接着性繊維と混入され、第一キャリア層７４などの基体に付与することができる接着性繊維と温度変化材料８０の混合物を形成することができる。任意なものではあるが、第二キャリア層７６は、温度変化複合体７２を覆うことができ、繊維のマトリックス７８において接着剤によりそこに固定される。
【００６３】
このような態様においては、温度変化部材７０は、任意ではあるが、更なる工程へともたらされる。例えば、以下に詳細に示しているように、圧縮力が温度変化部材７０に付与されて、繊維のマトリックス７８と温度変化複合体７２の間、並びに繊維のマトリックス７８と任意に存在することができるあらゆるキャリア層７４及び／又は７６の間の接着を増強することが可能となる。圧縮は、温度変化部材７０の厚さ、又は厚みを減少させて、パンツ２０内に更に区分されて含まれることができる。
【００６４】
代替的には、温度変化複合体７２の繊維のマトリックス７８は、吸収性繊維を含むことができる。適当な吸収性繊維は、セルロース系繊維（すなわち、木質パルプ繊維）又は綿などの天然吸収性繊維、レーヨン又はセルロースアセテートなどの合成吸収性繊維、或いはこれらの組み合わせを含むことができる。特に、吸収性繊維は、米国サウスカロライナ州グリーンヴィルのＢｏｗａｔｅｒ  Ｉｎｃ．より入手可能なＣＲ１６５４という商標の、漂白済み南方軟材と硬材の混合クラフトパルプとすることができる。他の適当な吸収性繊維は、米国ワシントン州フェデラルウエイのＷｅｙｅｒｈａｅｕｓｅｒ  Ｃｏ．より入手可能な漂白済み南方軟材クラフトパルプであるＮＢ４１６、Ｂｏｗａｔｅｒ  Ｉｎｃ．より入手可能な漂白済み南方軟材クラフトパルプであるＣＲ５４、米国ジョージア州ＪｅｓｕｐのＲａｙｏｎｉｅｒ  Ｉｎｃ．より入手可能な化学変成された硬材パルプであるＳＵＬＰＨＡＴＡＴＥ  ＨＪ、及びＷｅｙｅｒｈａｅｕｓｅｒ  Ｃｏ．より入手可能な化学処理された漂白済み南方軟材クラフトパルプであるＮＦ４０５を含むことができる。
【００６５】
任意ではあるが、このような態様においては、繊維のマトリックス７８は、結合材材料を更に含むことができる。例えば、結合材材料は、適当なものとしては、熱可塑性結合材材料とすることができる。このような結合材材料は、加熱された時柔軟になることができるものであり、更に、室温に冷却されたとき実質的に最初の状態に戻ることができるものである。このような熱可塑性結合材材料は、柔軟な状態の時は、繊維及び結合材に近位の他の材料を抑制又は捕捉し、温度変化複合体７２を安定させる。結合材材料は、粉末又は繊維の形状で付与される。本発明に使用するために適当な結合材材料の例は、ポリエチレングリコール（ＰＥＧ）又はパラフィン蝋などの低い溶融温度を有するものとすることができ、これらの両方は、ミズーリー州セントルイスのＡｌｒｉｃｈより入手可能である。
【００６６】
このような態様においては、繊維のマトリックス７８は、通常の空気形成装置の形成表面上で吸収性繊維のマトリックスを形成することによって形成される。このような空気形成装置は、繊維性ウエブ形成の使用のために、当業者によく知られている。例えば、１９８７年５月１９日付けのＥｎｌｏｅ他の米国特許第４，６６６，６４７号及び１９８８年８月２日付けのＥｎｌｏｅの米国特許第４，７６１，２５８号が参照され、これらの特許は、一貫性のある範囲で（すなわち、矛盾することのない範囲で）引用によりここに組み入れられる。このような装置においては、繊維性材料が導入されて、形成表面上に堆積する前に、温度変化材料８０のような他の材料と混合される。真空吸引システムなどの空気流動機構は、空気形成装置内で形成表面に向かって空気浮遊繊維流を引き込み、空気が孔あき表面を通過する間に繊維及び他の空気浮遊材料が形成表面に堆積する。
【００６７】
このように、吸収性繊維のマトリックス７８及びマトリックスに混入された温度変化材料８０は、形成表面上に堆積されて、温度変化複合体７２を形成することができる。任意ではあるが、空気透過性基体が形成表面上に置かれて、温度変化複合体７２を堆積し、更に第一キャリア層７４を形成することができる。空気形成装置で温度変化複合体の形成に続いて、第二キャリア層７６が更に温度変化複合体上に置かれて、温度変化部材７０の一体性を増加することができる。
【００６８】
温度変化部材７０（第一及び第二キャリア層７４及び７６がある場合も、ない場合も）は、均一な厚さに圧縮するために、両側のロールにより定められるニップを通して温度変化部材を通過させるなどにより、更に処理される。この方法における圧縮に続き、温度変化部材７０は、０．２０グラム／ｃｍ3ないし０．５５グラム／ｃｍ3の密度、特定的には０．２５グラム／ｃｍ3ないし０．４５グラム／ｃｍ3の密度、更により特定的には０．３５グラム／ｃｍ3の密度を定めることができる。代替的には、当業者によく知られている他の高密度化法が利用される。これらの範囲内の密度は、可撓性のある温度変化部材７０を形成することができると考えられており、繊維のマトリックス７８内の温度変化材料８０を保持し、望ましい一体性を有する。更に、このような密度は、温度変化材料８０を破壊又は減少させて、その効能を低下させるほど高くはない。更に、温度変化複合体７２が結合材材料を含む場合の態様においては、温度変化部材７０は、任意ではあるが、熱カレンダーロール又は通気式加熱装置などによって、熱活性化させることができる。
【００６９】
上記したように、吸収性繊維を含む温度変化複合体７２は、５から５０重量パーセントの吸収性繊維、及び５０から９５重量パーセントの温度変化材料とすることができる。代替的には、温度変化複合体７２は、２０から４０重量パーセントの吸収性繊維、及び６０から８０重量パーセントの温度変化材料８０とすることができる。任意ではあるが、複合体７２は、１から１５重量パーセントの結合材繊維を含むことができる。特定の態様においては、温度変化複合体７２は、７０重量パーセントの温度変化材料８０及び３０重量パーセントの吸収性繊維とすることができ、０．３５グラム／ｃｍ3の密度を定めることができる。
【００７０】
別の代替的手法においては、繊維のマトリックス７８は、ポリマー繊維及び吸収性繊維を含むコフォーム複合体によって形成される。コフォーム材料及びコフォーム法は、当業者に知られており、例としてＡｎｄｅｒｓｏｎ他の米国特許第４，１００，３２４号、Ｅｖｅｒｈａｒｔ他の米国特許第５，２８４，７０３号、及びＧｅｏｒｇｅｒ他の米国特許第５，３５０，６２４号に記載されており、各々は一貫性のある範囲で（すなわち、矛盾することなく）引用によりここに組み入れられる。
【００７１】
特定の態様においては、繊維のマトリックス７８は、メルトブローンポリマー繊維とセルロース系繊維の混合物とすることができるコフォーム複合体によって形成される。様々な適当な材料が、ポリオレフィン材料などのメルトブローン繊維を形成するために使用することができる。代替的には、ポリマー繊維は、コポリマー樹脂により形成されるような延伸ポリマー繊維とすることができる。例えば、テキサス州ヒューストンのＥｘｘｏｎＭｏｂｉｌ  Ｃｏｒｐｏｒａｔｉｏｎより入手可能なＶＭ２２１０コポリマー樹脂、又はテキサス州ヒューストンのＫｒａｔｏｎ  Ｐｏｌｙｍｅｒｓより入手可能なＫＲＡＴＯＮが、繊維のマトリックス７８のための延伸可能なポリマー繊維を形成するために使用することができる。他の適当なポリマー性材料又はこれらの組み合わせが、代替的には、当業者に知られているように利用することができる。
【００７２】
更に、米国ワシントン州フェデラルウエイのＷｅｙｅｒｈａｅｕｓｅｒ  Ｃｏ．から入手可能な化学処理された漂白済み南方軟材クラフトパルプであるＮＦ４０５などの様々な吸収性セルロース繊維を利用することができる。他の適当な吸収性繊維は、米国サウスカロライナ州グリーンヴィルのＢｏｗａｔｅｒ  Ｉｎｃ．より入手可能な漂白済み南方軟材と硬材の混合クラフトパルプであるＣＲ１６５４、Ｗｅｙｅｒｈａｅｕｓｅｒ  Ｃｏ．より入手可能な漂白済み南方軟材クラフトパルプであるＮＢ４１６、Ｂｏｗａｔｅｒ  Ｉｎｃ．より入手可能な漂白済み南方軟材クラフトパルプであるＣＲ５４、及び米国ジョージア州ＪｅｓｕｐのＲａｙｏｎｉｅｒ  Ｉｎｃ．より入手可能な化学変成された硬材パルプを含む。
【００７３】
ポリマー繊維及びメルトブローン繊維は、吸収性繊維流及び押し出された溶融ポリマー性繊維流を形成することにより、コフォーム化され、繊維のマトリックス７８を形成する。更に、温度変化複合体７２を形成するために、温度変化材料８０流が形成される。これらの流れは、単一流に合流し、形成ベルト又は形成ドラムなどの形成表面上に堆積して、温度変化部材７０の温度変化複合体７２を形成することができる。任意ではあるが、第一キャリア層７４などの形成層は形成表面上に置かれ、温度変化複合体７２の中に含まれる材料を堆積するために使用される。
【００７４】
吸収性繊維流は、当業者に知られているような解繊機、ハンマーミル、又は類似した装置にパルプシートを供給することにより形成される。適当な解繊機は、ウイスコンシン州シェボイガンフォールズのＣｕｒｔ  Ｇ．Ｊｏａ，Ｉｎｃ．より入手可能である。ポリマー繊維流は、メルトブローしたコポリマー樹脂又は他のポリマーによって形成される。特に、ＶＭ２２１０などのコポリマー樹脂に対する溶融温度は、４５０度Ｆ（２３２度Ｃ）から４８０度Ｆ（２４８度Ｃ）とすることができ、マトリックス内の温度変化材料の浮遊を改善することができる。上記したように、メルトブローン繊維を含む不織繊維性ウエブを形成するための適当な技術は、前に組み込まれた米国特許第４，１００，３２４号及び第５，３５０，６２４号に述べられている。メルトブロー技術は、繊維と温度変化材料８０を作動的に混入することができる乱流を形成するための従来の専門知識にしたがって、容易に調整することができる。例えば、最初の空気圧は５ｐｓｉに設定され、メルトブローンノズルは、０．０２０インチの紡糸用口金孔ノズルとすることができる。この技術は、温度変化複合体７２の様々な材料の望ましい重量パーセントを付与するために、従来の知識にしたがって容易に調整することができる。
【００７５】
温度変化材料８０の流れは、空気圧により付与されるか又は重力により供給される。空気流に材料を放出するための適当な方法及び装置は、２００２年１０月８日付のＭｉｌａｎｏｗｓｋｉ他の米国特許第６，４６１，０８６号に記載されており、この特許は一貫性のある範囲で（すなわち、矛盾することなく）引用によりここに組み入れられる。コフォーム材料は、超吸収性材料などの他の材料を含むことができる。
【００７６】
一態様においては、上記したようにコフォーム複合体によって形成される温度変化複合体７２は、５から１５重量パーセントのメルトブローンポリマー繊維、１０から５０重量パーセントの吸収性繊維、及び４０から８０重量パーセントの温度変化材料とすることができる。特定的な態様においては、温度変化複合体７２は、８重量パーセントのメルトブローンポリマー繊維、１４重量パーセントの吸収性繊維、７８重量パーセントの温度変化材料とし、基本重量を１３４０ｇｓｍと定めることができる。
【００７７】
上記したように、温度変化部材７０は、任意ではあるが、温度変化複合体７２と重なる関係で第一キャリア層７４（図４及び５）を含むことができる。更に、温度変化部材７０は、任意ではあるが、第一キャリア層７４及び第二キャリア層７６（図５）を含むことができ、第一キャリア層及び第二キャリア層７６は、温度変化複合体７２を挟む。第一及び第二キャリア層７４及び７６は、別個のウエブ材料により形成されるか、又は代替的には温度変化複合体７２を半分に折り畳んだ単一のウエブ材料により形成される。
【００７８】
ある態様においては、キャリア層７４及び７６は、液体透過性又は液体不透過性とすることができる。例えば、第一キャリア層７４などの１つのキャリア層を液体不透過性とし、もう一方のキャリア層（すなわち第二キャリア層７６）を液体透過性とすることができる。このような態様においては、第一キャリア層７４は、外側表面３２側に置かれ、かつ第二キャリア層７６は、内側表面３０側に置かれる。このように、液体放出物は、第二キャリア層７６を通過して温度変化材料を活性化して、第一キャリア層７４は、液体放出物が温度変化部材７０から出ようとする流れを遅くし、着用者が感じる温度変化を最大のものとすることができる。代替的には、第一キャリア層７６は液体透過性とすることができ、第二キャリア層７６の態様においては、キャリア層７４及び７６の両方が液体透過性とすることができる。このようなキャリア層７４及び７６は、加工性を改善するために温度変化部材７０の一体性を改善することができ、部材７０内に温度変化材料を保持することを介助することができる。
【００７９】
キャリア層７４及び７６のために適当な液体透過性材料は、ティッシュ層、不織層、又はこれらの組み合わせを含む。特に、身体側ライナー４２として使用するのに適したものとして述べられた材料が、液体透過性キャリア層７４及び７６に適当なものとすることができる。したがって、液体透過性キャリア層７４及び７６は、延伸可能とすることができる。同様に、外カバー４０として使用するのに適当なものとして述べられた材料が、液体不透過性キャリア層７４及び７６として使用するのに適当なものとすることができる。したがって、液体不透過性キャリア層７４及び７６は、延伸可能とすることができる。
【００８０】
本発明の様々な態様による温度変化材料８０は、着用者の近くに置かれて尿と接触した時に温度変化を与える基体を含むことができる。温度変化は、着用者が認知することができる熱の吸収又は放出のいずれかとすることができる。温度変化材料８０による熱吸収は、着用者に冷たい感覚を与え、一方基体による熱放出は、着用者に暖かい感覚を与える。前述したＯｌｓｏｎ他の米国特許出願一連番号１０／４６２，１６６が参照され、温度変化の感覚が達成される機構に関する付加的情報について、引用によりここに組み入れられる。適当なものとしては、温度変化材料８０は、上記した態様において、加工しやすい特定の形状で与えられる。
【００８１】
温度変化材料８０は、前記した繊維のマトリックス７８内に、均一に混入される。代替的には、温度変化材料８０は、温度変化複合体７２の厚さ内に、分配勾配を定めることができる。例えば、温度変化材料８０は、パンツの内側表面３０に向かってかなりの量が繊維のマトリックス７８内に混入される。代替的には、温度変化材料８０は、パンツの外側表面３０に向かってかなりの量が繊維のマトリックス７８内に混入される。
【００８２】
温度変化材料８０は、尿などの水性溶液と接触すると反応して、熱を吸収するか又は放出するかのいずれかである。これが達成されるのは、水性溶液で基体が膨潤して水性溶液内で基体が溶解するか、或いは水性溶液の中で基体が反応するという機構によってである。例えば、温度変化材料は、溶解した状態と結晶の状態とで異なる実質的エネルギーを有する粒子を含むことができ、熱の形状でのエネルギーは、尿と接触する環境において吸収又は放出されるか、或いは温度変化材料は、水性溶液内で膨潤又は反応する間にエネルギーを放出又は吸収することができる。
【００８３】
水性溶液と接触した時に、広く種々異なる基体が温度変化を形成することができるが、温度変化材料８０の特定の選択、使用される量の決定及び基体の位置は、そのほとんどは望ましい温度変化に基づくべきである。特定的には、温度変化部材７０は、湿潤した時に、適当なものとして少なくとも摂氏約５度、より適当なものとしては摂氏約１０度、更により適当なものとしては摂氏１５度の温度変化（すなわち、冷たくなるか又は暖かくなる）を、訓練用パンツ１０に与えることができるものとする。代替的には、温度変化部材７０は、湿潤した時に、摂氏５度から１５度の表面温度変化を、パンツ２０に与えることができるものとする。この範囲内の表面温度変化は、トイレ訓練をする年齢の子供によってある程度まで識別可能であると考えられる。より特定的には、温度変化部材７０は、湿潤した時に、５度Ｃから１０度Ｃの表面温度変化をパンツ２０に与えることができる。
【００８４】
このように、特定の態様においては、温度変化材料が吸熱する場合は、放出された時の製品の温度低下は、特定的には気を取られている着用者（すなわち、遊んでいる子供）では、約３７度Ｃから約２５度Ｃまで、更に改善された効率としては約２２度Ｃまでとすることができる。温度変化は、少なくとも１０分間続くことが適当であり、更に適当なものとしてはおよそ１５分間続くことができる。
【００８５】
例として、キシリトール粒子は、水性溶液に溶解された時熱を吸収するので、冷たい感覚を与えるためにキシリトール粒子を選択することができる。溶解する間に熱を吸収する他の適当な温度変化材料は、酢酸ナトリウム（Ｈ2Ｏ）、炭酸ナトリウム（１０Ｈ2Ｏ）、硫酸ナトリウム（１０Ｈ2Ｏ）、チオ硫酸ナトリウム（５Ｈ2Ｏ）、及び燐酸ナトリウム（１０Ｈ2Ｏ）などの塩水和物、硝酸アンモニウム、硝酸カリウム、塩化アンモニウム、塩化カリウム、及び硝酸ナトリウムなどの無水塩、尿素又は同様のものなどの有機化合物を含む。
【００８６】
温度変化材料８０は、膨潤する間に、熱を吸収又は放出する物質を含むことができる。説明のために、膨潤する間に熱を放出する１つの適当な温度変化材料は、わずかに架橋結合されて、部分的に中和化したポリアクリル酸である。溶解する間に熱を放出する他の温度変化材料８０は、塩化アルミニウム、硫酸アルミニウム、硫酸カリウムアルミニウム、又は同様のものを含む。
【００８７】
温度変化材料８０は、オルトエステル又はメントンケタルなどのケタルを含むことができ、これはメントンが１から８の炭素を含むアルコール又は２から８の炭素を含むポリオール、及びこれらのすべての構造的及び光学異性体と反応することから形成される。適当とされる特定のメントンケタルは、メントン−グリセロールケタル及びメントン−プロピレングリコールケタルを含む。特定のケタルは、Ｇｒｅｎｎｂｅｒｇの米国特許第５，３４８，７５０号及びＧｒｕｂ他の米国特許第５，２６６，５９２号に記載されている。
【００８８】
上記したように、温度変化部材７０は、繊維のマトリックス７２及び繊維のマトリックス７２内で混入されたキシリトール粒子などの温度変化材料８０を含むことができる。排尿により湿潤されると、キシリトールは溶解して、吸熱反応を発生し、これにより着用者に排尿が起きていることを合図する。
【００８９】
温度変化部材７０は、排尿の時に、液体が温度変化材料８０と接触するように、訓練用パンツ２０内に配置される。例えば、温度変化部材７０は、例えば外カバー４０とライナー４２の中間部などの、吸収性本体４４に置かれる。特に、温度変化部材７０は、吸収性本体４４に取り付けられ、かつパンツ２０の内側表面側に置かれる。代替的には、温度変化部材７０は、吸収性本体４４に近接するライナー４２に取り付けられる。更に別の代替的手法においては、温度変化部材７０は、吸収性本体４４の部分間のギャップ内に置かれ、例えば外カバー４０に取り付けられる。このような態様は、２００４年９月２９日付けのＷｅｂｅｒ他の米国特許出願１０／９５５５３４に記載されており、この特許は一貫性のある範囲で（すなわち、矛盾することなく）引用によりここに組み入れられる。
【００９０】
容易に理解されるように、温度変化部材７０は、様々な形状及び大きさとすることができる。例えば、温度変化部材７０は、長方形とすることができ、かつ２．５ｃｍから１０ｃｍの横方向４８幅及び２．５ｃｍから２５ｃｍの縦方向４６長さを有するものとすることができる。一態様においては、温度変化部材７０は、約８ｃｍから１０ｃｍと測定することができる。代替的には、温度変化部材７０は、楕円形状、円、三角形、又は同様のものとすることができる。別の代替的物品においては、温度変化部材７０は、全体的にストリップ状に形成され、これは横方向４８又は縦方向４６に延びて、約２．５ｃｍのギャップにより分離される。
【００９１】
更に、温度変化部材７０は、上記したように、様々な量の温度変化材料８０を適当に含むことができる。また、本発明の訓練用パンツ２０は、１又はそれ以上の温度変化部材７０を含むことができることを、当業者は理解するであろう。
【００９２】
したがって、容易に認識できるように、本発明の様々な態様のパンツ２０は、着用者に排尿を効率的に合図し、限られた量の温度変化材料８０の零れ落ち又は損失で、高速変換工程において容易に処理することができる温度変化部材７０を形成する。
【００９３】
温度変化材料を含む製品が湿潤した時、温度変化を求める適当な手順が、以下の温度変化テストに述べられている。テストは、摂氏２１度から２２度の安定した温度及び約５０パーセントの安定した湿度を有する環境において実施されるべきである。テストされる製品は、製品をできるだけ平坦な状態に置けるように、弾性側部パネルを取り外し、かつ他のすべての弾性材を切り取って準備される。製品はプレキシガラス製受け台に位置決めされ、実際の使用における製品の形態を模倣する。製品の中央部が、受け台の最も深い部分に置かれるようにする。
【００９４】
液体配分ポンプに作動的に接合された液体配分ノズルは、製品の内側表面上に生理的食塩水を配分するように位置決めされる。ノズルの先端は、製品の縦方向軸に沿って、内側表面から１ｃｍ離れ、かつ製品の中央部から１０ｃｍ前方に置くべきである。ポンプは、９０ｍｌの安定した等浸透圧の０．９パーセント生理的食塩水を、１５ｍｌ／秒の速度で配分するように作動させる。生理的食塩水は、イリノイ州マグロ−パークのＴｈｅ  Ｂａｘｔｅｒ  Ｈｅａｌｔｈｃａｒｅ  ＣｏｒｐｏｒａｔｉｏｎのＳｃｉｅｎｔｉｆｉｃ  Ｐｒｏｄｕｃｔｓ  Ｄｉｖｉｓｉｏｎより入手可能な認定された血液銀行用生理的食塩水であり、温度は３７℃である。
【００９５】
温度変化部材の位置での製品の表面温度は、標準温度計又はデジタル表示又は記録用装置に接合された温度感知サーミスターを使用して計測される。生理的食塩水が配分された後３０秒後の表面温度が、テスト温度として記録される。参照温度は、温度変化材料を含まない製品の一部上か、又は温度変化材料のない類似した製品上で、このテストを実施して得られる。湿潤した時の製品の表面温度変化は、テスト温度と参照温度の差である。
【００９６】
本発明の範囲から外れることなく、上記した構成及び方法に、様々な変更を加えることができるものであるから、上述の説明に含まれ、添付図面に示されたすべての事柄は、説明のものであり、制限する意味ではないものと解釈されることを意図している。
【００９７】
本発明の要素又はこれらの好ましい態様を説明する場合に、「１つ」、「それ」及び「該」という単語は、１つ又はそれ以上の要素があることを意味するものである。「含む」、「含まれる」及び「有する」という用語は、包括的であり、示した要素以外に付加的要素がある可能性があることを意味するものである。
【図面の簡単な説明】
【００９８】
【図１】パンツの機械的締結システムを有する１対の訓練用パンツを、訓練用パンツの１つの側は締結状態で、訓練用パンツのもう一方の側部は締結しない状態で示す、訓練用パンツの側面図である。
【図２】図１の訓練用パンツを、締結しない状態で、拡げて平坦な状態に置いた形態の訓練用パンツを着用者とは反対側で示した平面図である。
【図３】図２と類似しているが、着用した時に着用者に面する側の訓練用パンツの表面を、下側にある特性が見えるように部分的に切り取られた状態で示す平面図である。
【図４】本発明の温度変化部材の特定の態様の部分図である。
【図５】本発明の温度変化部材の別の態様の部分図である。
【符号の説明】
【００９９】
２０  パンツ
２２  前腰部領域
２４  後腰部領域
２６  股部領域
３２  吸収性組立体
４０  外カバー
４２  身体側ライナー
４４  吸収性本体
６０  締結システム
７０  温度変化部材
７２  温度変化複合体
７４  第一キャリア層
７６  第二キャリア層
７８  マトリックス
８０  温度変化材料
【図１】
2008525153.tif 000003
【図２】
2008525153.tif 000004
【図３】
2008525153.tif 000005
【図４】
2008525153.tif 000006
【図５】
2008525153.tif 000007
【国際調査報告】
2008525153.tif 000008
2008525153.tif 000009